(57)【要約】【課題】本発明はピアス展示棚を開示した。【解決手段】収納箱を含み、前記収納箱の中には上に開口した展開チャンバが設けられ、前記収納箱の頂端には密封装置が当接し、前記展開チャンバの中には前記密封装置の下端に位置する昇降装置がねじ山によって連結され、前記昇降装置の中には横梁が設けられ、前記横梁の上側には支柱ローラーが固定的に連結され、前記支柱ローラーには傾斜板が回転できるように連結され、傾斜板の下側の端面には下に開口した隠し溝が設けられ、前記隠し溝の中には前記昇降装置の制御を受ける傾斜装置が設けられる。【選択図】図１
2020179099.tif 000002
【特許請求の範囲】
【請求項１】
正面視で、収納箱を含み、前記収納箱の中には上に開口した展開チャンバが設けられ、前記収納箱の頂端には密封装置が当接し、前記展開チャンバの中には前記密封装置の下端に位置する昇降装置がねじ山によって連結され、前記昇降装置の中には横梁が設けられ、前記横梁の上側には支柱ローラーが固定的に連結され、前記支柱ローラーには傾斜板が回転できるように連結され、傾斜板の下側の端面には下に開口した隠し溝が設けられ、前記隠し溝の中には前記昇降装置の制御を受ける傾斜装置が設けられ、ピアスを展示するとき、内部を回転させて上げて開き、前記傾斜板の上側の端面には上に開口した展示溝が設けられ、前記展示溝の中には展示装置が設けられ、前記傾斜板の上側には展示溝の左右端に位置する対称的なランプが設けられ、前記傾斜板の中には展示溝の右端に位置するスイッチチャンバが設けられ、前記スイッチチャンバの左端内壁には左電極が固定的に連結され、前記スイッチチャンバの右端内壁にはスイッチロッドがスライドできるように連結され、前記スイッチロッドには前記展示装置と当接する当接板が設けられ、前記スイッチロッドには左電極と当接する右電極が設けられ、前記右電極の右側と前記スイッチチャンバの右側の内壁との間には復帰バネが連結され、一定の角度に傾斜すると、ランプが自動的に点灯することを特徴とするピアス展示棚。
【請求項２】
前記昇降装置は、前記展開チャンバの左右端の内壁と連通して対称的に設けられる位置制限スライド溝を含み、前記位置制限スライド溝の中には左右に伸びているスライドロッドがスライドできるように連結され、前記スライドロッドの下側と前記位置制限スライド溝の底端の内壁との間には抑制バネが連結され、前記スライドロッドの上側には連結柱が固定的に連結され、前記連結柱の上端末端には連結枠が設けられ、前記連結枠と前記横梁との間がスライドできるように連結され、前記連結枠の内側には円錐形リングギヤが設置され、前記展開チャンバの中にはねじ山が設置され、前記ねじ山の内側と横梁との間が固定的に連結され、前記横梁の下側には固定棚が固定的に連結され、前記固定棚の下端にはモータが設置され、前記モータには左右に伸びているネジ軸が伝動できるように連結され、前記ネジ軸の左端には前記円錐形リングギヤと噛み合って連結される駆動傘歯車が設けられ、前記ネジ軸の右端には前記円錐形リングギヤと噛み合って連結される安定傘歯車が設置され、前記ネジ軸には前記安定傘歯車の左側に位置する平行移動ブロックがねじ山によって連結されることを特徴とする請求項１に記載のピアス展示棚。
【請求項３】
前記傾斜装置は滑り道を含み、前記横梁には前記固定棚の右端に位置する前記滑り道が連通して設けられ、前記滑り道の中には前記平行移動ブロックとスライドできるように連結される従動スライドロッドがスライドできる連結され、前記従動スライドロッドには隠し溝の中に位置する連動ブロックが設置され、前記連動ブロックには、上下が相通し且つ左に開口した凹溝が設けられ、前記凹溝の中には回転軸が固定的に連結され、前記回転軸にはチェーンロッドが回転できるように連結され、前記チェーンロッドと隠し溝の頂端の内壁との間が回転できるように連結されることを特徴とする請求項１に記載のピアス展示棚。
【請求項４】
前記展示装置の中には前記展示溝とスライドできるように連結される展示ブロックが設けられ、  前記展示ブロックの右側と前記ス展示溝の右側の内壁との間には引き伸ばしバネが連結され、前記展示ブロックの中には伝動チャンバが設けられ、前記伝動チャンバの左端の内壁には前記展示溝の左側の内壁に当接する押しロッドがスライドできるように連結され、前記押しロッドには前記伝動チャンバの中に位置する駆動押しブロックが設けられ、前記駆動押しブロックの左側と前記伝動チャンバの内壁との間には止めバネが連結され、前記展示ブロックの中には前記伝動チャンバの上端に位置する収納溝が設けられ、前記収納溝の底端の内壁には前記駆動押しブロックと当接する突き出しロッドがスライドできるように連結され、前記突き出しロッドには前記収納溝の中に位置するスポンジ板が設置され、前記スポンジ板の下側と前記収納溝の底端の内壁との間には止めバネが連結されることを特徴とする請求項１に記載のピアス展示棚。
【請求項５】
前記密封装置は前記収納箱の上端の右側に固定的連結される前後対称的なドアレールを含み、前記ドアレールの中にはレールが設けられ、前記レールの中には前後に伸びているレールロッドがスライドできるように連結され、前記収納箱の頂端にはカバー板が当接し、前記カバー板の中には前記レールロッドとスライドできるように連結されるスライドチャンバが設置され、前記カバー板の頂端の端面にはハンドルが固定的に連結され、前記カバー板の左側にはロックロッドが回転できるように連結され、前記展開チャンバの左側の端面には前記ロックロッドと当接するロック溝が設けられることを特徴とする請求項１に記載のピアス展示棚。
【発明の詳細な説明】
【技術分野】
【０００１】
本発明はアクセサリー技術分野を取り上げて、具体的にはピアス展示棚である。
【背景技術】
【０００２】
女性のピアスは往々にして多くて雑で、普通のピアス収集箱は収容チャンバを含む筐体にすぎなく、保管する時に簡単に放置できるが、使用時に混乱して探しにくく、またなくしてしまる場合も時々発生する。そのため整然と収納できる、選択するときにピアスのスタイルを展示する装置はアクセサリ収納業界の発展の必然的な傾向となり、本発明は上記の問題を解決できる装置です。
【先行技術文献】
【特許文献】
【０００３】
【特許文献１】中国特許出願公開第108784164号明細書
【発明の概要】
【発明が解決しようとする課題】
【０００４】
本発明の目的はピアス展示棚を提供し、それは上記の現在の技術中の問題を解決できる。
【課題を解決するための手段】
【０００５】
上記の課題を解決するため、本発明は以下の技術プランを採用する：収納箱を含み、前記収納箱の中には上に開口した展開チャンバが設けられ、前記収納箱の頂端には密封装置が当接し、前記展開チャンバの中には前記密封装置の下端に位置する昇降装置がねじ山によって連結され、前記昇降装置の中には横梁が設けられ、前記横梁の上側には支柱ローラーが固定的に連結され、前記支柱ローラーには傾斜板が回転できるように連結され、傾斜板の下側の端面には下に開口した隠し溝が設けられ、前記隠し溝の中には前記昇降装置の制御を受ける傾斜装置が設けられ、ピアスを展示するとき、内部を回転させて上げて開き、前記傾斜板の上側の端面には上に開口した展示溝が設けられ、前記展示溝の中には展示装置が設けられ、前記傾斜板の上側には展示溝の左右端に位置する対称的なランプが設けられ、前記傾斜板の中には展示溝の右端に位置するスイッチチャンバが設けられ、前記スイッチチャンバの左端内壁には左電極が固定的に連結され、前記スイッチチャンバの右端内壁にはスイッチロッドがスライドできるように連結され、前記スイッチロッドには前記展示装置と当接する当接板が設けられ、前記スイッチロッドには左電極と当接する右電極が設けられ、前記右電極の右側と前記スイッチチャンバの右側の内壁との間には復帰バネが連結され、一定の角度に傾斜すると、ランプが自動的に点灯する。
【０００６】
優選的には、前記昇降装置は、前記展開チャンバの左右端の内壁と連通して対称的に設けられる位置制限スライド溝を含み、前記位置制限スライド溝の中には左右に伸びているスライドロッドがスライドできるように連結され、前記スライドロッドの下側と前記位置制限スライド溝の底端の内壁との間には抑制バネが連結され、前記スライドロッドの上側には連結柱が固定的に連結され、前記連結柱の上端末端には連結枠が設けられ、前記連結枠と前記横梁との間がスライドできるように連結され、前記連結枠の内側には円錐形リングギヤが設置され、前記展開チャンバの中にはねじ山が設置され、前記ねじ山の内側と横梁との間が固定的に連結され、前記横梁の下側には固定棚が固定的に連結され、前記固定棚の下端にはモータが設置され、前記モータには左右に伸びているネジ軸が伝動できるように連結され、前記ネジ軸の左端には前記円錐形リングギヤと噛み合って連結される駆動傘歯車が設けられ、前記ネジ軸の右端には前記円錐形リングギヤと噛み合って連結される安定傘歯車が設置され、前記ネジ軸には前記安定傘歯車の左側に位置する平行移動ブロックがねじ山によって連結される。
【０００７】
優選的には、前記傾斜装置は滑り道を含み、前記横梁には前記固定棚の右端に位置する前記滑り道が連通して設けられ、前記滑り道の中には前記平行移動ブロックとスライドできるように連結される従動スライドロッドがスライドできる連結され、前記従動スライドロッドには隠し溝の中に位置する連動ブロックが設置され、前記連動ブロックには、上下が相通し且つ左に開口した凹溝が設けられ、前記凹溝の中には回転軸が固定的に連結され、前記回転軸にはチェーンロッドが回転できるように連結され、前記チェーンロッドと隠し溝の頂端の内壁との間が回転できるように連結される。
【０００８】
優選的には、前記展示装置の中には前記展示溝とスライドできるように連結される展示ブロックが設けられ、  前記展示ブロックの右側と前記ス展示溝の右側の内壁との間には引き伸ばしバネが連結され、前記展示ブロックの中には伝動チャンバが設けられ、前記伝動チャンバの左端の内壁には前記展示溝の左側の内壁に当接する押しロッドがスライドできるように連結され、前記押しロッドには前記伝動チャンバの中に位置する駆動押しブロックが設けられ、前記駆動押しブロックの左側と前記伝動チャンバの内壁との間には止めバネが連結され、前記展示ブロックの中には前記伝動チャンバの上端に位置する収納溝が設けられ、前記収納溝の底端の内壁には前記駆動押しブロックと当接する突き出しロッドがスライドできるように連結され、前記突き出しロッドには前記収納溝の中に位置するスポンジ板が設置され、前記スポンジ板の下側と前記収納溝の底端の内壁との間には止めバネが連結される。
【０００９】
前記密封装置は前記収納箱の上端の右側に固定的連結される前後対称的なドアレールを含み、前記ドアレールの中にはレールが設けられ、前記レールの中には前後に伸びているレールロッドがスライドできるように連結され、前記収納箱の頂端にはカバー板が当接し、前記カバー板の中には前記レールロッドとスライドできるように連結されるスライドチャンバが設置され、前記カバー板の頂端の端面にはハンドルが固定的に連結され、前記カバー板の左側にはロックロッドが回転できるように連結され、前記展開チャンバの左側の端面には前記ロックロッドと当接するロック溝が設けられる。
【発明の効果】
【００１０】
本発明の有益な効果は、本発明の構造が簡単で、操作が便利で、単組のピアスが単独で固定される方法で収納し、紛失問題を避け、それと同時に上に移動することまた上に移動する高さによって斜め角度を調整して使用者の観察と取り扱いを便利にし、装置が指定の角度に達した後に、展示ブロックによって自動的に照明を点灯し、利用者の試着と観察を便利にし、収納の状態のときは装置全体を一体に収縮し、占有するスペースを減少する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のピアス展示棚の全体構成略図
【図２】図２は本発明の図１の展示装置の構成図
【図３】図３は本発明の図１のＡ―Ａ方向の構造略図
【図４】図４は本発明の図１のＢ―Ｂ方向の構造略図
【発明を実施するための形態】
【００１３】
図１〜４を参照し、本発明のピアス展示棚は、収納箱１０を含み、前記収納箱１０の中には上に開口した展開チャンバ１１が設けられ、前記収納箱１０の頂端には密封装置が当接し、前記展開チャンバ１１の中には前記密封装置の下端に位置する昇降装置がねじ山によって連結され、前記昇降装置の中には横梁４５が設けられ、前記横梁４５の上側には支柱ローラー４３が固定的に連結され、前記支柱ローラー４３には傾斜板４２が回転できるように連結され、傾斜板４２の下側の端面には下に開口した隠し溝２０が設けられ、前記隠し溝２０の中には前記昇降装置の制御を受ける傾斜装置が設けられ、ピアスを展示するとき、内部を回転させて上げて開き、前記傾斜板４２の上側の端面には上に開口した展示溝３１が設けられ、前記展示溝３１の中には展示装置が設けられ、前記傾斜板４２の上側には展示溝３１の左右端に位置する対称的なランプ２７が設けられ、前記傾斜板４２の中には展示溝３１の右端に位置するスイッチチャンバ３６が設けられ、前記スイッチチャンバ３６の左端内壁には左電極３７が固定的に連結され、前記スイッチチャンバ３６の右端内壁にはスイッチロッド３３がスライドできるように連結され、前記スイッチロッド３３には前記展示装置と当接する当接板３２が設けられ、前記スイッチロッド３３には左電極３７と当接する右電極３５が設けられ、前記右電極３５の右側と前記スイッチチャンバ３６の右側の内壁との間には復帰バネ３４が連結され、一定の角度に傾斜すると、ランプ２７が自動的に点灯する。
【００１４】
前記昇降装置は、前記展開チャンバ１１の左右端の内壁と連通して対称的に設けられる位置制限スライド溝４９を含み、前記位置制限スライド溝４９の中には左右に伸びているスライドロッド５０がスライドできるように連結され、前記スライドロッド５０の下側と前記位置制限スライド溝４９の底端の内壁との間には抑制バネ５１が連結され、前記スライドロッド５０の上側には連結柱１４が固定的に連結され、前記連結柱１４の上端末端には連結枠４６が設けられ、前記連結枠４６と前記横梁４５との間がスライドできるように連結され、前記連結枠４６の内側には円錐形リングギヤ４８が設置され、前記展開チャンバ１１の中にはねじ山４４が設置され、前記ねじ山４４の内側と横梁４５との間が固定的に連結され、前記横梁４５の下側には固定棚１５が固定的に連結され、前記固定棚１５の下端にはモータ１３が設置され、前記モータ１３には左右に伸びているネジ軸１２が伝動できるように連結され、前記ネジ軸１２の左端には前記円錐形リングギヤ４８と噛み合って連結される駆動傘歯車４７が設けられ、前記ネジ軸１２の右端には前記円錐形リングギヤ４８と噛み合って連結される安定傘歯車１９が設置され、前記ネジ軸１２には前記安定傘歯車１９の左側に位置する平行移動ブロック１７がねじ山によって連結される。
【００１５】
前記傾斜装置は滑り道１６を含み、前記横梁４５には前記固定棚１５の右端に位置する前記滑り道１６が連通して設けられ、前記滑り道１６の中には前記平行移動ブロック１７とスライドできるように連結される従動スライドロッド１８がスライドできる連結され、前記従動スライドロッド１８には隠し溝２０の中に位置する連動ブロック２３が設置され、前記連動ブロック２３には、上下が相通し且つ左に開口した凹溝２２が設けられ、前記凹溝２２の中には回転軸２１が固定的に連結され、前記回転軸２１にはチェーンロッド３０が回転できるように連結され、前記チェーンロッド３０と隠し溝２０の頂端の内壁との間が回転できるように連結される。
【００１６】
前記展示装置の中には前記展示溝３１とスライドできるように連結される展示ブロック５２が設けられ、  前記展示ブロック５２の右側と前記ス展示溝３１の右側の内壁との間には引き伸ばしバネ２８が連結され、前記展示ブロック５２の中には伝動チャンバ５７が設けられ、前記伝動チャンバ５７の左端の内壁には前記展示溝３１の左側の内壁に当接する押しロッド６０がスライドできるように連結され、前記押しロッド６０には前記伝動チャンバ５７の中に位置する駆動押しブロック５８が設けられ、前記駆動押しブロック５８の左側と前記伝動チャンバ５７の内壁との間には止めバネ５９が連結され、前記展示ブロック５２の中には前記伝動チャンバ５７の上端に位置する収納溝５３が設けられ、前記収納溝５３の底端の内壁には前記駆動押しブロック５８と当接する突き出しロッド５５がスライドできるように連結され、前記突き出しロッド５５には前記収納溝５３の中に位置するスポンジ板５６が設置され、前記スポンジ板５６の下側と前記収納溝５３の底端の内壁との間には止めバネ５４が連結される。
【００１７】
前記密封装置は前記収納箱１０の上端の右側に固定的連結される前後対称的なドアレール２４を含み、前記ドアレール２４の中にはレール２５が設けられ、前記レール２５の中には前後に伸びているレールロッド２６がスライドできるように連結され、前記収納箱１０の頂端にはカバー板３８が当接し、前記カバー板３８の中には前記レールロッド２６とスライドできるように連結されるスライドチャンバ３９が設置され、前記カバー板３８の頂端の端面にはハンドル２９が固定的に連結され、前記カバー板３８の左側にはロックロッド４０が回転できるように連結され、前記展開チャンバ１１の左側の端面には前記ロックロッド４０と当接するロック溝４１が設けられる。
【００１８】
本発明の装置が静止状態にある時、前記スライドチャンバ３９は前記展開チャンバ１１の上端に位置し、且つ前記ロックロッド４０と前記ロック溝４１とが当接し、前記モータ１３がオフし、前記ネジ輪４４は前記展開チャンバ１１の最も下端に位置する。
【００１９】
本発明の装置を使う時、前記ロック溝４１を回して前記ロックロッド４０の外に移動させ、前記ハンドル２９を引き動かして上に移動させ、前記レールロッド２６が前記レール２５の水平端にスライドして到着するまで前記カバー板３８を上に移動させ、それから前記カバー板３８を右に移動して回転させて縦に立て、前記モータ１３が起動し、前記ねじ軸１２によって前記駆動傘歯車４７を回転駆動し、前記円錐形リングギヤ４８と固定的に連結される前記連結枠４６が前記スライドロッド５０に制限され、そのため前記円錐形リングギヤ４８との歯合連結によって前記駆動傘歯車４７が回転して前記ねじ軸１２を回転させ、前記モータ１３の上に固定される固定棚１５によって前記横梁４５を回転させ、前記横梁４５の上に固定される前記ねじ山４４は展開チャンバ１１の内壁とのねじ山による連結を通じて、前記横梁４５を上方に移動させ、それと同時に前記ねじ軸１２は前記平行移動ブロック１７を左に移動駆動し、前記従動スライドロッド１８によって前記連動ブロック２３を引き動かして左に移動させ、前記チェーンロッド３０によって前記傾斜板４３を前記支柱ローラー４３に沿って反時計回りに回転させ、重力作用により前記展示ブロック５２は左に移動し初めて前記引き伸ばしバネ２８を引き動かして運動ポテンシャルエネルギーを蓄積し、傾斜の角度が指定の数値に達すると、前記モータ１３が自動的にオフし、このとき、前記展示ブロック５２の左側と前記展示溝３１の左側の内壁が当接し、前記展示ブロック５２は前記当接板３２を推進し、前記スイッチロッド３３によって前記スイッチチャンバ３６と前記左電極３７を当接させて回路を繋いで前記ランプ２７をつけ、前記押しロッド６０が右に移動し、前記駆動押しブロック５８と前記突き出しロッド５５の当接により、前記スポンジ板５６を押し動かして前記収納溝５３の外側に滑り出し、利用者の観察と取り扱いを便利にする。
【００２０】
本発明の有益な効果は、本発明の構造が簡単で、操作が便利で、単組のピアスが単独で固定される方法で収納し、紛失問題を避け、それと同時に上に移動することまた上に移動する高さによって斜め角度を調整して使用者の観察と取り扱いを便利にし、装置が指定の角度に達した後に、展示ブロックによって自動的に照明を点灯し、利用者の試着と観察を便利にし、収納の状態のときは装置全体を一体に収縮し、占有するスペースを減少する。
【００２１】
上記の方式によると、本分野の技術者は、本発明の範囲の中で仕事モードによって様々な変更を行うことができる。
【図１】
2020179099.tif 000003
【図２】
2020179099.tif 000004
【図３】
2020179099.tif 000005
【図４】
2020179099.tif 000006
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
正面視で、収納箱を含み、前記収納箱の中には上に開口した展開チャンバが設けられ、前記収納箱の頂端には密封装置が当接し、前記展開チャンバの中には前記密封装置の下端に位置する昇降装置がねじ山によって連結され、前記昇降装置の中には横梁が設けられ、前記横梁の上側には支柱ローラーが固定的に連結され、前記支柱ローラーには傾斜板が回転できるように連結され、傾斜板の下側の端面には下に開口した隠し溝が設けられ、前記隠し溝の中には前記昇降装置の制御を受ける傾斜装置が設けられ、ピアスを展示するとき、内部を回転させて上げて開き、前記傾斜板の上側の端面には上に開口した展示溝が設けられ、前記展示溝の中には展示装置が設けられ、前記傾斜板の上側には展示溝の左右端に位置する対称的なランプが設けられ、前記傾斜板の中には展示溝の左端に位置するスイッチチャンバが設けられ、前記スイッチチャンバの左端内壁には左電極が固定的に連結され、前記スイッチチャンバの右端内壁にはスイッチロッドがスライドできるように連結され、前記スイッチロッドには前記展示装置と当接する当接板が設けられ、前記スイッチロッドには左電極と当接する右電極が設けられ、前記右電極の右側と前記スイッチチャンバの右側の内壁との間には復帰バネが連結され、一定の角度に傾斜すると、ランプが自動的に点灯し、
前記昇降装置は、前記展開チャンバの左右端の内壁と連通して対称的に設けられる位置制限スライド溝を含み、前記位置制限スライド溝の中には左右に伸びているスライドロッドがスライドできるように連結され、前記スライドロッドの下側と前記位置制限スライド溝の底端の内壁との間には抑制バネが連結され、前記スライドロッドの上側には連結柱が固定的に連結され、前記連結柱の上端末端には連結枠が設けられ、前記連結枠と前記横梁との間がスライドできるように連結され、前記連結枠の内側には円錐形リングギヤが設置され、前記展開チャンバの中にはねじ山が設置され、前記ねじ山の内側と横梁との間が固定的に連結され、前記横梁の下側には固定棚が固定的に連結され、前記固定棚の下端にはプログラムによりオンとオフを制御されたモータが設置され、前記モータには左右に伸びているネジ軸が伝動できるように連結され、前記ネジ軸の左端には前記円錐形リングギヤと噛み合って連結される駆動傘歯車が設けられ、前記ネジ軸の右端には前記円錐形リングギヤと噛み合って連結される安定傘歯車が設置され、前記ネジ軸には前記安定傘歯車の左側に位置する平行移動ブロックがねじ山によって連結され、
前記傾斜装置は滑り道を含み、前記横梁には前記固定棚の右端に位置する前記滑り道が連通して設けられ、前記滑り道の中には前記平行移動ブロックとスライドできるように連結される従動スライドロッドが固定的に連結され、前記従動スライドロッドには隠し溝の中に位置する連動ブロックが設置され、前記連動ブロックには、上下が相通し且つ左に開口した凹溝が設けられ、前記凹溝の中には回転軸が固定的に連結され、前記回転軸にはチェーンロッドが回転できるように連結され、前記チェーンロッドと隠し溝の頂端の内壁との間が回転できるように連結され、
前記展示装置の中には前記展示溝とスライドできるように連結される展示ブロックが設けられ、  前記展示ブロックの右側と前記展示溝の右側の内壁との間には引き伸ばしバネが連結され、前記展示ブロックの中には伝動チャンバが設けられ、前記伝動チャンバの左端の内壁には前記展示溝の左側の内壁に当接する押しロッドがスライドできるように連結され、前記押しロッドには前記伝動チャンバの中に位置する駆動押しブロックが設けられ、前記駆動押しブロックの左側と前記伝動チャンバの内壁との間には止めバネが連結され、前記展示ブロックの中には前記伝動チャンバの上端に位置する収納溝が設けられ、前記収納溝の底端の内壁には前記駆動押しブロックと当接する突き出しロッドがスライドできるように連結され、前記突き出しロッドには前記収納溝の中に位置するスポンジ板が設置され、前記スポンジ板の下側と前記収納溝の底端の内壁との間には止めバネが連結され、
前記密封装置は前記収納箱の上端の右側に固定的連結される前後対称的なドアレールを含み、前記ドアレールの中にはレールが設けられ、前記レールの中には前後に伸びているレールロッドがスライドできるように連結され、前記収納箱の頂端にはカバー板が当接し、前記カバー板の中には前記レールロッドとスライドできるように連結されるスライドチャンバが設置され、前記カバー板の頂端の端面にはハンドルが固定的に連結され、前記カバー板の左側にはロックロッドが回転できるように連結され、前記展開チャンバの左側の端面には前記ロックロッドと当接するロック溝が設けられることを特徴とするピアス展示棚。
【手続補正２】
【補正対象書類名】明細書
【補正対象項目名】全文
【補正方法】変更
【補正の内容】
【発明の詳細な説明】
【技術分野】
【０００１】
本発明はアクセサリー技術分野を取り上げて、具体的にはピアス展示棚である。
【背景技術】
【０００２】
女性のピアスは往々にして多くて雑で、普通のピアス収集箱は収容チャンバを含む筐体にすぎなく、保管する時に簡単に放置できるが、使用時に混乱して探しにくく、またなくしてしまる場合も時々発生する。そのため整然と収納できる、選択するときにピアスのスタイルを展示する装置はアクセサリ収納業界の発展の必然的な傾向となり、本発明は上記の問題を解決できる装置です。
【先行技術文献】
【特許文献】
【０００３】
【特許文献１】中国特許出願公開第１０８７８４１６４号明細書
【発明の概要】
【発明が解決しようとする課題】
【０００４】
本発明の目的はピアス展示棚を提供し、それは上記の現在の技術中の問題を解決できる。
【課題を解決するための手段】
【０００５】
上記の課題を解決するため、本発明は以下の技術プランを採用する：収納箱を含み、前記収納箱の中には上に開口した展開チャンバが設けられ、前記収納箱の頂端には密封装置が当接し、前記展開チャンバの中には前記密封装置の下端に位置する昇降装置がねじ山によって連結され、前記昇降装置の中には横梁が設けられ、前記横梁の上側には支柱ローラーが固定的に連結され、前記支柱ローラーには傾斜板が回転できるように連結され、傾斜板の下側の端面には下に開口した隠し溝が設けられ、前記隠し溝の中には前記昇降装置の制御を受ける傾斜装置が設けられ、ピアスを展示するとき、内部を回転させて上げて開き、前記傾斜板の上側の端面には上に開口した展示溝が設けられ、前記展示溝の中には展示装置が設けられ、前記傾斜板の上側には展示溝の左右端に位置する対称的なランプが設けられ、前記傾斜板の中には展示溝の左端に位置するスイッチチャンバが設けられ、前記スイッチチャンバの左端内壁には左電極が固定的に連結され、前記スイッチチャンバの右端内壁にはスイッチロッドがスライドできるように連結され、前記スイッチロッドには前記展示装置と当接する当接板が設けられ、前記スイッチロッドには左電極と当接する右電極が設けられ、前記右電極の右側と前記スイッチチャンバの右側の内壁との間には復帰バネが連結され、一定の角度に傾斜すると、ランプが自動的に点灯する。
【０００６】
優選的には、前記昇降装置は、前記展開チャンバの左右端の内壁と連通して対称的に設けられる位置制限スライド溝を含み、前記位置制限スライド溝の中には左右に伸びているスライドロッドがスライドできるように連結され、前記スライドロッドの下側と前記位置制限スライド溝の底端の内壁との間には抑制バネが連結され、前記スライドロッドの上側には連結柱が固定的に連結され、前記連結柱の上端末端には連結枠が設けられ、前記連結枠と前記横梁との間がスライドできるように連結され、前記連結枠の内側には円錐形リングギヤが設置され、前記展開チャンバの中にはねじ山が設置され、前記ねじ山の内側と横梁との間が固定的に連結され、前記横梁の下側には固定棚が固定的に連結され、前記固定棚の下端にはプログラムによりオンとオフを制御されたモータが設置され、前記モータには左右に伸びているネジ軸が伝動できるように連結され、前記ネジ軸の左端には前記円錐形リングギヤと噛み合って連結される駆動傘歯車が設けられ、前記ネジ軸の右端には前記円錐形リングギヤと噛み合って連結される安定傘歯車が設置され、前記ネジ軸には前記安定傘歯車の左側に位置する平行移動ブロックがねじ山によって連結される。
【０００７】
優選的には、前記傾斜装置は滑り道を含み、前記横梁には前記固定棚の右端に位置する前記滑り道が連通して設けられ、前記滑り道の中には前記平行移動ブロックとスライドできるように連結される従動スライドロッドが固定的に連結され、前記従動スライドロッドには隠し溝の中に位置する連動ブロックが設置され、前記連動ブロックには、上下が相通し且つ左に開口した凹溝が設けられ、前記凹溝の中には回転軸が固定的に連結され、前記回転軸にはチェーンロッドが回転できるように連結され、前記チェーンロッドと隠し溝の頂端の内壁との間が回転できるように連結される。
【０００８】
優選的には、前記展示装置の中には前記展示溝とスライドできるように連結される展示ブロックが設けられ、  前記展示ブロックの右側と前記展示溝の右側の内壁との間には引き伸ばしバネが連結され、前記展示ブロックの中には伝動チャンバが設けられ、前記伝動チャンバの左端の内壁には前記展示溝の左側の内壁に当接する押しロッドがスライドできるように連結され、前記押しロッドには前記伝動チャンバの中に位置する駆動押しブロックが設けられ、前記駆動押しブロックの左側と前記伝動チャンバの内壁との間には止めバネが連結され、前記展示ブロックの中には前記伝動チャンバの上端に位置する収納溝が設けられ、前記収納溝の底端の内壁には前記駆動押しブロックと当接する突き出しロッドがスライドできるように連結され、前記突き出しロッドには前記収納溝の中に位置するスポンジ板が設置され、前記スポンジ板の下側と前記収納溝の底端の内壁との間には止めバネが連結される。
【０００９】
前記密封装置は前記収納箱の上端の右側に固定的連結される前後対称的なドアレールを含み、前記ドアレールの中にはレールが設けられ、前記レールの中には前後に伸びているレールロッドがスライドできるように連結され、前記収納箱の頂端にはカバー板が当接し、前記カバー板の中には前記レールロッドとスライドできるように連結されるスライドチャンバが設置され、前記カバー板の頂端の端面にはハンドルが固定的に連結され、前記カバー板の左側にはロックロッドが回転できるように連結され、前記展開チャンバの左側の端面には前記ロックロッドと当接するロック溝が設けられる。
【発明の効果】
【００１０】
本発明の有益な効果は、本発明の構造が簡単で、操作が便利で、単組のピアスが単独で固定される方法で収納し、紛失問題を避け、それと同時に上に移動することまた上に移動する高さによって斜め角度を調整して使用者の観察と取り扱いを便利にし、装置が指定の角度に達した後に、展示ブロックによって自動的に照明を点灯し、利用者の試着と観察を便利にし、収納の状態のときは装置全体を一体に収縮し、占有するスペースを減少する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のピアス展示棚の全体構成略図
【図２】図２は本発明の図１の展示装置の構成図
【図３】図３は本発明の図１のＡ―Ａ方向の構造略図
【図４】図４は本発明の図１のＢ―Ｂ方向の構造略図
【発明を実施するための形態】
【００１３】
図１〜４を参照し、本発明のピアス展示棚は、収納箱１０を含み、前記収納箱１０の中には上に開口した展開チャンバ１１が設けられ、前記収納箱１０の頂端には密封装置が当接し、前記展開チャンバ１１の中には前記密封装置の下端に位置する昇降装置がねじ山によって連結され、前記昇降装置の中には横梁４５が設けられ、前記横梁４５の上側には支柱ローラー４３が固定的に連結され、前記支柱ローラー４３には傾斜板４２が回転できるように連結され、傾斜板４２の下側の端面には下に開口した隠し溝２０が設けられ、前記隠し溝２０の中には前記昇降装置の制御を受ける傾斜装置が設けられ、ピアスを展示するとき、内部を回転させて上げて開き、前記傾斜板４２の上側の端面には上に開口した展示溝３１が設けられ、前記展示溝３１の中には展示装置が設けられ、前記傾斜板４２の上側には展示溝３１の左右端に位置する対称的なランプ２７が設けられ、前記傾斜板４２の中には展示溝３１の左端に位置するスイッチチャンバ３６が設けられ、前記スイッチチャンバ３６の左端内壁には左電極３７が固定的に連結され、前記スイッチチャンバ３６の右端内壁にはスイッチロッド３３がスライドできるように連結され、前記スイッチロッド３３には前記展示装置と当接する当接板３２が設けられ、前記スイッチロッド３３には左電極３７と当接する右電極３５が設けられ、前記右電極３５の右側と前記スイッチチャンバ３６の右側の内壁との間には復帰バネ３４が連結され、一定の角度に傾斜すると、ランプ２７が自動的に点灯する。
【００１４】
前記昇降装置は、前記展開チャンバ１１の左右端の内壁と連通して対称的に設けられる位置制限スライド溝４９を含み、前記位置制限スライド溝４９の中には左右に伸びているスライドロッド５０がスライドできるように連結され、前記スライドロッド５０の下側と前記位置制限スライド溝４９の底端の内壁との間には抑制バネ５１が連結され、前記スライドロッド５０の上側には連結柱１４が固定的に連結され、前記連結柱１４の上端末端には連結枠４６が設けられ、前記連結枠４６と前記横梁４５との間がスライドできるように連結され、前記連結枠４６の内側には円錐形リングギヤ４８が設置され、前記展開チャンバ１１の中にはねじ山４４が設置され、前記ねじ山４４の内側と横梁４５との間が固定的に連結され、前記横梁４５の下側には固定棚１５が固定的に連結され、前記固定棚１５の下端にはプログラムによりオンとオフを制御されたモータ１３が設置され、前記モータ１３には左右に伸びているネジ軸１２が伝動できるように連結され、前記ネジ軸１２の左端には前記円錐形リングギヤ４８と噛み合って連結される駆動傘歯車４７が設けられ、前記ネジ軸１２の右端には前記円錐形リングギヤ４８と噛み合って連結される安定傘歯車１９が設置され、前記ネジ軸１２には前記安定傘歯車１９の左側に位置する平行移動ブロック１７がねじ山によって連結される。
【００１５】
前記傾斜装置は滑り道１６を含み、前記横梁４５には前記固定棚１５の右端に位置する前記滑り道１６が連通して設けられ、前記滑り道１６の中には前記平行移動ブロック１７とスライドできるように連結される従動スライドロッド１８が固定的に連結され、前記従動スライドロッド１８には隠し溝２０の中に位置する連動ブロック２３が設置され、前記連動ブロック２３には、上下が相通し且つ左に開口した凹溝２２が設けられ、前記凹溝２２の中には回転軸２１が固定的に連結され、前記回転軸２１にはチェーンロッド３０が回転できるように連結され、前記チェーンロッド３０と隠し溝２０の頂端の内壁との間が回転できるように連結される。
【００１６】
前記展示装置の中には前記展示溝３１とスライドできるように連結される展示ブロック５２が設けられ、  前記展示ブロック５２の右側と前記展示溝３１の右側の内壁との間には引き伸ばしバネ２８が連結され、前記展示ブロック５２の中には伝動チャンバ５７が設けられ、前記伝動チャンバ５７の左端の内壁には前記展示溝３１の左側の内壁に当接する押しロッド６０がスライドできるように連結され、前記押しロッド６０には前記伝動チャンバ５７の中に位置する駆動押しブロック５８が設けられ、前記駆動押しブロック５８の左側と前記伝動チャンバ５７の内壁との間には止めバネ５９が連結され、前記展示ブロック５２の中には前記伝動チャンバ５７の上端に位置する収納溝５３が設けられ、前記収納溝５３の底端の内壁には前記駆動押しブロック５８と当接する突き出しロッド５５がスライドできるように連結され、前記突き出しロッド５５には前記収納溝５３の中に位置するスポンジ板５６が設置され、前記スポンジ板５６の下側と前記収納溝５３の底端の内壁との間には止めバネ５４が連結される。
【００１７】
前記密封装置は前記収納箱１０の上端の右側に固定的連結される前後対称的なドアレール２４を含み、前記ドアレール２４の中にはレール２５が設けられ、前記レール２５の中には前後に伸びているレールロッド２６がスライドできるように連結され、前記収納箱１０の頂端にはカバー板３８が当接し、前記カバー板３８の中には前記レールロッド２６とスライドできるように連結されるスライドチャンバ３９が設置され、前記カバー板３８の頂端の端面にはハンドル２９が固定的に連結され、前記カバー板３８の左側にはロックロッド４０が回転できるように連結され、前記展開チャンバ１１の左側の端面には前記ロックロッド４０と当接するロック溝４１が設けられる。
【００１８】
本発明の装置が静止状態にある時、前記スライドチャンバ３９は前記展開チャンバ１１の上端に位置し、且つ前記ロックロッド４０と前記ロック溝４１とが当接し、前記モータ１３がオフし、前記ネジ輪４４は前記展開チャンバ１１の最も下端に位置する。
【００１９】
本発明の装置を使う時、前記ロック溝４１を回して前記ロックロッド４０の外に移動させ、前記ハンドル２９を引き動かして上に移動させ、前記レールロッド２６が前記レール２５の水平端にスライドして到着するまで前記カバー板３８を上に移動させ、それから前記カバー板３８を右に移動して回転させて縦に立て、前記モータ１３が起動し、前記ねじ軸１２によって前記駆動傘歯車４７を回転駆動し、前記連結枠４６が前記連結柱１４を介して前記スライドロッド５０に固定されると共に、前記スライドロッド５０が前記位置制限スライド溝４９により上下方向にしか移動できない構成とされている結果、前記モータ１３が起動しても前記連結枠１４が回転してしまうのを制限し、前記円錐形リングギヤ４８との歯合連結によって前記駆動傘歯車４７が回転して前記ねじ軸１２を回転させ、前記モータ１３の上に固定される固定棚１５によって前記横梁４５を回転させ、前記横梁４５の上に固定される前記ねじ山４４は展開チャンバ１１の内壁とのねじ山による連結を通じて、前記横梁４５を上方に移動させ、それと同時に前記ねじ軸１２は前記平行移動ブロック１７を左に移動駆動し、前記従動スライドロッド１８によって前記連動ブロック２３を引き動かして左に移動させ、前記チェーンロッド３０によって前記傾斜板４２を前記支柱ローラー４３に沿って反時計回りに回転させ、重力作用により前記展示ブロック５２は左に移動し初めて前記引き伸ばしバネ２８を引き動かして運動ポテンシャルエネルギーを蓄積し、傾斜の角度が指定の数値に達すると、前記モータ１３が自動的にオフし、このとき、前記展示ブロック５２の左側と前記展示溝３１の左側の内壁が当接し、前記展示ブロック５２は前記当接板３２を推進し、前記スイッチロッド３３によって前記スイッチチャンバ３６と前記左電極３７を当接させて回路を繋いで前記ランプ２７をつけ、前記押しロッド６０が右に移動し、前記駆動押しブロック５８と前記突き出しロッド５５の当接により、前記スポンジ板５６を押し動かして前記収納溝５３の外側に滑り出し、利用者の観察と取り扱いを便利にする。
【００２０】
本発明の有益な効果は、本発明の構造が簡単で、操作が便利で、単組のピアスが単独で固定される方法で収納し、紛失問題を避け、それと同時に上に移動することまた上に移動する高さによって斜め角度を調整して使用者の観察と取り扱いを便利にし、装置が指定の角度に達した後に、展示ブロックによって自動的に照明を点灯し、利用者の試着と観察を便利にし、収納の状態のときは装置全体を一体に収縮し、占有するスペースを減少する。
【００２１】
上記の方式によると、本分野の技術者は、本発明の範囲の中で仕事モードによって様々な変更を行うことができる。
【手続補正３】
【補正対象書類名】図面
【補正対象項目名】図４
【補正方法】変更
【補正の内容】
【図４】
2020179099.tif 000007
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
正面視で、収納箱を含み、前記収納箱の中には上に開口した展開チャンバが設けられ、前記収納箱の頂端には密封装置が当接し、前記展開チャンバの中には前記密封装置の下端に位置する昇降装置がねじ山によって連結され、前記昇降装置の中には横梁が設けられ、前記横梁の上側には支柱ローラーが固定的に連結され、前記支柱ローラーには傾斜板が回転できるように連結され、傾斜板の下側の端面には下に開口した隠し溝が設けられ、前記隠し溝の中には前記昇降装置の制御を受ける傾斜装置が設けられ、ピアスを展示するとき、前記傾斜板を回転させて上げて開き、前記傾斜板の上側の端面には上に開口した展示溝が設けられ、前記展示溝の中には展示装置が設けられ、前記傾斜板の上側には展示溝の左右端に位置する対称的なランプが設けられ、前記傾斜板の中には展示溝の左端に位置するスイッチチャンバが設けられ、前記スイッチチャンバの左端内壁には左電極が固定的に連結され、前記スイッチチャンバの右端内壁にはスイッチロッドがスライドできるように連結され、前記スイッチロッドには前記展示装置と当接する当接板が設けられ、前記スイッチロッドには左電極と当接する右電極が設けられ、前記右電極の右側と前記スイッチチャンバの右側の内壁との間には復帰バネが連結され、一定の角度に傾斜すると、ランプが自動的に点灯し、
前記昇降装置は、前記展開チャンバの左右端の内壁と連通して対称的に設けられる位置制限スライド溝を含み、前記位置制限スライド溝の中には左右に伸びているスライドロッドがスライドできるように連結され、前記スライドロッドの下側と前記位置制限スライド溝の底端の内壁との間には抑制バネが連結され、前記スライドロッドの上側には連結柱が固定的に連結され、前記連結柱の上端末端には連結枠が設けられ、前記連結枠と前記横梁との間がスライドできるように連結され、前記連結枠の内側には円錐形リングギヤが設置され、前記展開チャンバの中にはねじ山が設置され、前記ねじ山の内側と横梁との間が固定的に連結され、前記横梁の下側には固定棚が固定的に連結され、前記固定棚の下端にはモータが設置され、前記モータには左右に伸びているネジ軸が伝動できるように連結され、前記ネジ軸の左端には前記円錐形リングギヤと噛み合って連結される駆動傘歯車が設けられ、前記ネジ軸の右端には前記円錐形リングギヤと噛み合って連結される安定傘歯車が設置され、前記ネジ軸には前記安定傘歯車の左側に位置する平行移動ブロックがねじ山によって連結され、
前記傾斜装置は滑り道を含み、前記横梁には前記固定棚の右端に位置する前記滑り道が連通して設けられ、前記滑り道の中には前記平行移動ブロックとスライドできるように連結される従動スライドロッドが固定的に連結され、前記従動スライドロッドには隠し溝の中に位置する連動ブロックが設置され、前記連動ブロックには、上下が相通し且つ左に開口した凹溝が設けられ、前記凹溝の中には回転軸が固定的に連結され、前記回転軸にはチェーンロッドが回転できるように連結され、前記チェーンロッドと隠し溝の頂端の内壁との間が回転できるように連結され、
前記展示装置の中には前記展示溝とスライドできるように連結される展示ブロックが設けられ、  前記展示ブロックの右側と前記展示溝の右側の内壁との間には引き伸ばしバネが連結され、前記展示ブロックの中には伝動チャンバが設けられ、前記伝動チャンバの左端の内壁には前記展示溝の左側の内壁に当接する押しロッドがスライドできるように連結され、前記押しロッドには前記伝動チャンバの中に位置する駆動押しブロックが設けられ、前記駆動押しブロックの左側と前記伝動チャンバの内壁との間には止めバネが連結され、前記展示ブロックの中には前記伝動チャンバの上端に位置する収納溝が設けられ、前記収納溝の底端の内壁には前記駆動押しブロックと当接する突き出しロッドがスライドできるように連結され、前記突き出しロッドには前記収納溝の中に位置するスポンジ板が設置され、前記スポンジ板の下側と前記収納溝の底端の内壁との間には止めバネが連結され、
前記密封装置は前記収納箱の上端の右側に固定的連結される前後対称的なドアレールを含み、前記ドアレールの中にはレールが設けられ、前記レールの中には前後に伸びているレールロッドがスライドできるように連結され、前記収納箱の頂端にはカバー板が当接し、前記カバー板の中には前記レールロッドとスライドできるように連結されるスライドチャンバが設置され、前記カバー板の頂端の端面にはハンドルが固定的に連結され、前記カバー板の左側にはロックロッドが回転できるように連結され、前記展開チャンバの左側の端面には前記ロックロッドと当接するロック溝が設けられることを特徴とするピアス展示棚。
【手続補正２】
【補正対象書類名】明細書
【補正対象項目名】全文
【補正方法】変更
【補正の内容】
【発明の詳細な説明】
【技術分野】
【０００１】
本発明はアクセサリー技術分野を取り上げて、具体的にはピアス展示棚である。
【背景技術】
【０００２】
女性のピアスは往々にして多くて雑で、普通のピアス収集箱は収容チャンバを含む筐体にすぎなく、保管する時に簡単に放置できるが、使用時に混乱して探しにくく、またなくしてしまる場合も時々発生する。そのため整然と収納できる、選択するときにピアスのスタイルを展示する装置はアクセサリ収納業界の発展の必然的な傾向となり、本発明は上記の問題を解決できる装置です。
【先行技術文献】
【特許文献】
【０００３】
【特許文献１】中国特許出願公開第１０８７８４１６４号明細書
【発明の概要】
【発明が解決しようとする課題】
【０００４】
本発明の目的はピアス展示棚を提供し、それは上記の現在の技術中の問題を解決できる。
【課題を解決するための手段】
【０００５】
上記の課題を解決するため、本発明は以下の技術プランを採用する：収納箱を含み、前記収納箱の中には上に開口した展開チャンバが設けられ、前記収納箱の頂端には密封装置が当接し、前記展開チャンバの中には前記密封装置の下端に位置する昇降装置がねじ山によって連結され、前記昇降装置の中には横梁が設けられ、前記横梁の上側には支柱ローラーが固定的に連結され、前記支柱ローラーには傾斜板が回転できるように連結され、傾斜板の下側の端面には下に開口した隠し溝が設けられ、前記隠し溝の中には前記昇降装置の制御を受ける傾斜装置が設けられ、ピアスを展示するとき、前記傾斜板を回転させて上げて開き、前記傾斜板の上側の端面には上に開口した展示溝が設けられ、前記展示溝の中には展示装置が設けられ、前記傾斜板の上側には展示溝の左右端に位置する対称的なランプが設けられ、前記傾斜板の中には展示溝の左端に位置するスイッチチャンバが設けられ、前記スイッチチャンバの左端内壁には左電極が固定的に連結され、前記スイッチチャンバの右端内壁にはスイッチロッドがスライドできるように連結され、前記スイッチロッドには前記展示装置と当接する当接板が設けられ、前記スイッチロッドには左電極と当接する右電極が設けられ、前記右電極の右側と前記スイッチチャンバの右側の内壁との間には復帰バネが連結され、一定の角度に傾斜すると、ランプが自動的に点灯する。
【０００６】
優選的には、前記昇降装置は、前記展開チャンバの左右端の内壁と連通して対称的に設けられる位置制限スライド溝を含み、前記位置制限スライド溝の中には左右に伸びているスライドロッドがスライドできるように連結され、前記スライドロッドの下側と前記位置制限スライド溝の底端の内壁との間には抑制バネが連結され、前記スライドロッドの上側には連結柱が固定的に連結され、前記連結柱の上端末端には連結枠が設けられ、前記連結枠と前記横梁との間がスライドできるように連結され、前記連結枠の内側には円錐形リングギヤが設置され、前記展開チャンバの中にはねじ山が設置され、前記ねじ山の内側と横梁との間が固定的に連結され、前記横梁の下側には固定棚が固定的に連結され、前記固定棚の下端にはモータが設置され、前記モータには左右に伸びているネジ軸が伝動できるように連結され、前記ネジ軸の左端には前記円錐形リングギヤと噛み合って連結される駆動傘歯車が設けられ、前記ネジ軸の右端には前記円錐形リングギヤと噛み合って連結される安定傘歯車が設置され、前記ネジ軸には前記安定傘歯車の左側に位置する平行移動ブロックがねじ山によって連結される。
【０００７】
優選的には、前記傾斜装置は滑り道を含み、前記横梁には前記固定棚の右端に位置する前記滑り道が連通して設けられ、前記滑り道の中には前記平行移動ブロックとスライドできるように連結される従動スライドロッドが固定的に連結され、前記従動スライドロッドには隠し溝の中に位置する連動ブロックが設置され、前記連動ブロックには、上下が相通し且つ左に開口した凹溝が設けられ、前記凹溝の中には回転軸が固定的に連結され、前記回転軸にはチェーンロッドが回転できるように連結され、前記チェーンロッドと隠し溝の頂端の内壁との間が回転できるように連結される。
【０００８】
優選的には、前記展示装置の中には前記展示溝とスライドできるように連結される展示ブロックが設けられ、  前記展示ブロックの右側と前記展示溝の右側の内壁との間には引き伸ばしバネが連結され、前記展示ブロックの中には伝動チャンバが設けられ、前記伝動チャンバの左端の内壁には前記展示溝の左側の内壁に当接する押しロッドがスライドできるように連結され、前記押しロッドには前記伝動チャンバの中に位置する駆動押しブロックが設けられ、前記駆動押しブロックの左側と前記伝動チャンバの内壁との間には止めバネが連結され、前記展示ブロックの中には前記伝動チャンバの上端に位置する収納溝が設けられ、前記収納溝の底端の内壁には前記駆動押しブロックと当接する突き出しロッドがスライドできるように連結され、前記突き出しロッドには前記収納溝の中に位置するスポンジ板が設置され、前記スポンジ板の下側と前記収納溝の底端の内壁との間には止めバネが連結される。
【０００９】
前記密封装置は前記収納箱の上端の右側に固定的連結される前後対称的なドアレールを含み、前記ドアレールの中にはレールが設けられ、前記レールの中には前後に伸びているレールロッドがスライドできるように連結され、前記収納箱の頂端にはカバー板が当接し、前記カバー板の中には前記レールロッドとスライドできるように連結されるスライドチャンバが設置され、前記カバー板の頂端の端面にはハンドルが固定的に連結され、前記カバー板の左側にはロックロッドが回転できるように連結され、前記展開チャンバの左側の端面には前記ロックロッドと当接するロック溝が設けられる。
【発明の効果】
【００１０】
本発明の有益な効果は、本発明の構造が簡単で、操作が便利で、単組のピアスが単独で固定される方法で収納し、紛失問題を避け、それと同時に上に移動することまた上に移動する高さによって斜め角度を調整して使用者の観察と取り扱いを便利にし、装置が指定の角度に達した後に、展示ブロックによって自動的に照明を点灯し、利用者の試着と観察を便利にし、収納の状態のときは装置全体を一体に収縮し、占有するスペースを減少する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のピアス展示棚の全体構成略図
【図２】図２は本発明の図１の展示装置の構成図
【図３】図３は本発明の図１のＡ―Ａ方向の構造略図
【図４】図４は本発明の図１のＢ―Ｂ方向の構造略図
【発明を実施するための形態】
【００１３】
図１〜４を参照し、本発明のピアス展示棚は、収納箱１０を含み、前記収納箱１０の中には上に開口した展開チャンバ１１が設けられ、前記収納箱１０の頂端には密封装置が当接し、前記展開チャンバ１１の中には前記密封装置の下端に位置する昇降装置がねじ山によって連結され、前記昇降装置の中には横梁４５が設けられ、前記横梁４５の上側には支柱ローラー４３が固定的に連結され、前記支柱ローラー４３には傾斜板４２が回転できるように連結され、傾斜板４２の下側の端面には下に開口した隠し溝２０が設けられ、前記隠し溝２０の中には前記昇降装置の制御を受ける傾斜装置が設けられ、ピアスを展示するとき、前記傾斜板４２を回転させて上げて開き、前記傾斜板４２の上側の端面には上に開口した展示溝３１が設けられ、前記展示溝３１の中には展示装置が設けられ、前記傾斜板４２の上側には展示溝３１の左右端に位置する対称的なランプ２７が設けられ、前記傾斜板４２の中には展示溝３１の左端に位置するスイッチチャンバ３６が設けられ、前記スイッチチャンバ３６の左端内壁には左電極３７が固定的に連結され、前記スイッチチャンバ３６の右端内壁にはスイッチロッド３３がスライドできるように連結され、前記スイッチロッド３３には前記展示装置と当接する当接板３２が設けられ、前記スイッチロッド３３には左電極３７と当接する右電極３５が設けられ、前記右電極３５の右側と前記スイッチチャンバ３６の右側の内壁との間には復帰バネ３４が連結され、一定の角度に傾斜すると、ランプ２７が自動的に点灯する。
【００１４】
前記昇降装置は、前記展開チャンバ１１の左右端の内壁と連通して対称的に設けられる位置制限スライド溝４９を含み、前記位置制限スライド溝４９の中には左右に伸びているスライドロッド５０がスライドできるように連結され、前記スライドロッド５０の下側と前記位置制限スライド溝４９の底端の内壁との間には抑制バネ５１が連結され、前記スライドロッド５０の上側には連結柱１４が固定的に連結され、前記連結柱１４の上端末端には連結枠４６が設けられ、前記連結枠４６と前記横梁４５との間がスライドできるように連結され、前記連結枠４６の内側には円錐形リングギヤ４８が設置され、前記展開チャンバ１１の中にはねじ山４４が設置され、前記ねじ山４４の内側と横梁４５との間が固定的に連結され、前記横梁４５の下側には固定棚１５が固定的に連結され、前記固定棚１５の下端にはモータ１３が設置され、前記モータ１３には左右に伸びているネジ軸１２が伝動できるように連結され、前記ネジ軸１２の左端には前記円錐形リングギヤ４８と噛み合って連結される駆動傘歯車４７が設けられ、前記ネジ軸１２の右端には前記円錐形リングギヤ４８と噛み合って連結される安定傘歯車１９が設置され、前記ネジ軸１２には前記安定傘歯車１９の左側に位置する平行移動ブロック１７がねじ山によって連結される。
【００１５】
前記傾斜装置は滑り道１６を含み、前記横梁４５には前記固定棚１５の右端に位置する前記滑り道１６が連通して設けられ、前記滑り道１６の中には前記平行移動ブロック１７とスライドできるように連結される従動スライドロッド１８が固定的に連結され、前記従動スライドロッド１８には隠し溝２０の中に位置する連動ブロック２３が設置され、前記連動ブロック２３には、上下が相通し且つ左に開口した凹溝２２が設けられ、前記凹溝２２の中には回転軸２１が固定的に連結され、前記回転軸２１にはチェーンロッド３０が回転できるように連結され、前記チェーンロッド３０と隠し溝２０の頂端の内壁との間が回転できるように連結される。
【００１６】
前記展示装置の中には前記展示溝３１とスライドできるように連結される展示ブロック５２が設けられ、  前記展示ブロック５２の右側と前記展示溝３１の右側の内壁との間には引き伸ばしバネ２８が連結され、前記展示ブロック５２の中には伝動チャンバ５７が設けられ、前記伝動チャンバ５７の左端の内壁には前記展示溝３１の左側の内壁に当接する押しロッド６０がスライドできるように連結され、前記押しロッド６０には前記伝動チャンバ５７の中に位置する駆動押しブロック５８が設けられ、前記駆動押しブロック５８の左側と前記伝動チャンバ５７の内壁との間には止めバネ５９が連結され、前記展示ブロック５２の中には前記伝動チャンバ５７の上端に位置する収納溝５３が設けられ、前記収納溝５３の底端の内壁には前記駆動押しブロック５８と当接する突き出しロッド５５がスライドできるように連結され、前記突き出しロッド５５には前記収納溝５３の中に位置するスポンジ板５６が設置され、前記スポンジ板５６の下側と前記収納溝５３の底端の内壁との間には止めバネ５４が連結される。
【００１７】
前記密封装置は前記収納箱１０の上端の右側に固定的連結される前後対称的なドアレール２４を含み、前記ドアレール２４の中にはレール２５が設けられ、前記レール２５の中には前後に伸びているレールロッド２６がスライドできるように連結され、前記収納箱１０の頂端にはカバー板３８が当接し、前記カバー板３８の中には前記レールロッド２６とスライドできるように連結されるスライドチャンバ３９が設置され、前記カバー板３８の頂端の端面にはハンドル２９が固定的に連結され、前記カバー板３８の左側にはロックロッド４０が回転できるように連結され、前記展開チャンバ１１の左側の端面には前記ロックロッド４０と当接するロック溝４１が設けられる。
【００１８】
本発明の装置が静止状態にある時、前記スライドチャンバ３９は前記展開チャンバ１１の上端に位置し、且つ前記ロックロッド４０と前記ロック溝４１とが当接し、前記モータ１３がオフし、前記ネジ輪４４は前記展開チャンバ１１の最も下端に位置する。
【００１９】
本発明の装置を使う時、前記ロック溝４１を回して前記ロックロッド４０の外に移動させ、前記ハンドル２９を引き動かして上に移動させ、前記レールロッド２６が前記レール２５の水平端にスライドして到着するまで前記カバー板３８を上に移動させ、それから前記カバー板３８を右に移動して回転させて縦に立て、前記モータ１３が起動し、前記ねじ軸１２によって前記駆動傘歯車４７を回転駆動し、前記連結枠４６が前記連結柱１４を介して前記スライドロッド５０に固定されると共に、前記スライドロッド５０が前記位置制限スライド溝４９により上下方向にしか移動できない構成とされている結果、前記モータ１３が起動しても前記連結枠１４が回転してしまうのを制限し、前記円錐形リングギヤ４８との歯合連結によって前記駆動傘歯車４７が回転して前記ねじ軸１２を回転させ、前記モータ１３の上に固定される固定棚１５によって前記横梁４５を回転させ、前記横梁４５の上に固定される前記ねじ山４４は展開チャンバ１１の内壁とのねじ山による連結を通じて、前記横梁４５を上方に移動させ、それと同時に前記ねじ軸１２は前記平行移動ブロック１７を左に移動駆動し、前記従動スライドロッド１８によって前記連動ブロック２３を引き動かして左に移動させ、前記チェーンロッド３０によって前記傾斜板４２を前記支柱ローラー４３に沿って反時計回りに回転させ、重力作用により前記展示ブロック５２は左に移動し初めて前記引き伸ばしバネ２８を引き動かして運動ポテンシャルエネルギーを蓄積し、傾斜の角度が指定の数値に達すると、前記モータ１３が自動的にオフし、このとき、前記展示ブロック５２の左側と前記展示溝３１の左側の内壁が当接し、前記展示ブロック５２は前記当接板３２を推進し、前記スイッチロッド３３によって前記スイッチチャンバ３６と前記左電極３７を当接させて回路を繋いで前記ランプ２７をつけ、前記押しロッド６０が右に移動し、前記駆動押しブロック５８と前記突き出しロッド５５の当接により、前記スポンジ板５６を押し動かして前記収納溝５３の外側に滑り出し、利用者の観察と取り扱いを便利にする。
【００２０】
本発明の有益な効果は、本発明の構造が簡単で、操作が便利で、単組のピアスが単独で固定される方法で収納し、紛失問題を避け、それと同時に上に移動することまた上に移動する高さによって斜め角度を調整して使用者の観察と取り扱いを便利にし、装置が指定の角度に達した後に、展示ブロックによって自動的に照明を点灯し、利用者の試着と観察を便利にし、収納の状態のときは装置全体を一体に収縮し、占有するスペースを減少する。
【００２１】
上記の方式によると、本分野の技術者は、本発明の範囲の中で仕事モードによって様々な変更を行うことができる。